(57)【特許請求の範囲】
【請求項１】
運搬用の取手部を有し、増設オプションを、１あるいは複数上下方向に有する床置き式の画像形成装置において、
画像形成装置は、正しい位置に画像形成装置本体を設置した場合に下方に増設されるオプションと固定される固定機構を有し、
その固定機構は、上支点の板状部材であって、該板状部材の長さ方向に沿った長穴を該板状部材の一つの面に有し、前記長穴を有する面が画像形成装置本体の底部よりも上に位置するように、前記板状部材の他の面が該底部の上面に設置され、
画像形成装置の底部には前記長穴と連通する位置決め穴が設けられ、
前記オプションの上部には位置決めピンが設けられ、該オプションの上部面に対して前記長穴の長径が広がる方向に、前記板状部材を上支点を中心に回動させることにより、前記位置決めピンが前記長穴に挿入され、挿入後、前記固定機構は前記長穴を締める方向に保たれる
ことを特徴とする画像形成装置。
【請求項２】
請求項１に記載の画像形成装置において、
その固定機構は、下方に増設されるオプションとの固定を解除する動作に連動する解除操作部材を備える
ことを特徴とする画像形成装置。
【請求項３】
請求項２に記載の画像形成装置において、
その固定機構が、運搬用の取手部近傍にある
ことを特徴とする画像形成装置。
【請求項４】
請求項３に記載の画像形成装置において、
その固定機構が、運搬用の取手部と連動しており、取手部を用い画像形成装置本体を持ち上げることにより、下方に増設されるオプションとの固定を解除される
ことを特徴とする画像形成装置。
【発明の詳細な説明】
【０００１】
【発明の属する技術分野】
本発明は、プリンタ、ファックス、コピ−等の両面画像形成装置の用紙反転機構をオプションで増設することができる画像形成装置に関する。
【０００２】
【従来の技術】
床置き式画像形成装置では、近年の流行である省スペ−ス化のため、横幅、奥行き共にスリムかされ、機器の設置面積が小さくなってきている。給紙バンク等のオプションは多段に積み重ねることができるようになっているものが多い。
また、床置き式機器では、キャスタ−等取り付けられているものも多く、その移動を持ち上げず水平移動を容易としている。キャスタ−による移動は、床面の段差、近年増えてきた絨毯等転がりの負荷が加わった場合、多段に積み重ねた機器が外れ倒れやすい。前記対策に別途固定部材を設け外れるのを防止しているものが多い。近年、使用者又は設置者等の安全のために、機器の安定性も厳しく要求されるようになってきている。
【０００３】
【発明が解決しようとする課題】
しかしながら、別途固定部材による固定は、機器設置後新たな作業を設置者に強いる。また固定しなくても実使用上問題ないものが多い。また機器を取り外す時には予め前記固定部材を取り外しておく必要がある。そのため、固定されず使用されることがある。
【０００４】
そこで、本発明は、上記必要性を考慮してなされたものであり、画像形成装置本体が給紙バンクに正しく設置された時、固定部材がなくとも、自動的に固定され、かつ、画像形成装置の安定性を確保することを目的とする。
また、通常時は固定されていて、機器を取り外す際（取手を用いて機器を持ち上げる時）のみ固定を解除することができ、運搬時の負荷を低減することを目的とする。
【０００５】
【課題を解決するための手段】
上記目的を達成するために、本発明は、運搬用の取手部を有し、増設オプションを、１あるいは複数上下方向に有する床置き式の画像形成装置において、画像形成装置は、正しい位置に画像形成装置本体を設置した場合に下方に増設されるオプションと固定される固定機構を有し、その固定機構は、上支点の板状部材であって、該板状部材の長さ方向に沿った長穴を該板状部材の一つの面に有し、前記長穴を有する面が画像形成装置本体の底部よりも上に位置するように、前記板状部材の他の面が該底部の上面に設置され、画像形成装置の底部には前記長穴と連通する位置決め穴が設けられ、前記オプションの上部には位置決めピンが設けられ、該オプションの上部面に対して前記長穴の長径が広がる方向に、前記板状部材を上支点を中心に回動させることにより、前記位置決めピンが前記長穴に挿入され、挿入後、前記固定機構は前記長穴を締める方向に保たれる画像形成装置とする。
本発明は、前記画像形成装置において、その固定機構は、下方に増設されるオプションとの固定を解除する動作に連動する解除操作部材を備える画像形成装置とする。
本発明は、前記画像形成装置において、その固定機構が、運搬用の取手部近傍にある画像形成装置とする。
本発明は、前記画像形成装置において、その固定機構が、運搬用の取手部と連動しており、取手部を用い画像形成装置本体を持ち上げることにより、下方に増設されるオプションとの固定を解除される画像形成装置とする。
【０００６】
【発明の実施の形態】
以下、本発明の実施形態を図に基づいて説明する。
図１は、本発明の一実施形態である床置き式画像形成装置の本体１と、増設オプション給紙バンク２の構成を示す図である。この画像形成装置は、４個のキャスタ−により自在に水平移動可な給紙バンク２（増設オプション）上方に、画像形成装置本体１を搭載できる形態をとっている。画像形成装置本体１は、運搬用の取手部４と、足５と、位置決め部（本例ではピンを受ける穴）と、給紙バンク２との固定部材３とを備えている。給紙バンク２には、画像形成装置本体１との位置決め部（本例ではピン）と、足受け部６と、固定部材３を受ける部材とを備えている。
【０００７】
給紙バンク２と、画像形成装置本体１設置時は、画像形成装置本体１に設けられた取手部４を持ち、給紙バンク２上面に位置する位置決めピン７と画像形成装置本体１下部に設けられた位置決め穴８とを合わせ前後左右方向の位置を規制し、画像形成装置本体１を、給紙バンク２上に降ろし、画像形成装置本体１下部に設けられた足５と、給紙バンク２上面に設けられた足受け部６がとで上下方向が規制され画像形成装置本体１と給紙バンク２とは、正しい位置に設置される。この状態において画像形成装置本体１に設けられた固定部材３（本例ではフック）が、給紙バンク２に設けられた固定部材３を受ける部材と勘合し固定される。
【０００８】
図２は、給紙バンク２を画像形成装置本体１から解除するときの固定部材３の動作を示す図である。図２に示す様に、固定部材３（フック）右端を上方に支点を軸に回動することにより、容易に固定を解除することができる。
【０００９】
図３及び図４は、位置決め部材が固定機能を兼ねる場合の実施形態を示す図である。図３は、位置決めピン７に弾性体により固定部材３を支持している。位置決めピン７が位置決め穴８に入る時は固定部材３が穴によりピン内に押し込まれ、定位置に来ると元に戻り、抜けなくなる。固定部材３をピン内に押し込むことで、ピンを抜くことができ固定を解除することができる。
図４では、位置決めピン７に本体位置決め穴８内にあるフックが勘合し固定する動作を説明する。図４に示す様に、固定部材３（フック）右端を上方に支点を軸に回動することにより固定を解除することができる。
【００１０】
図５及び図６は、位置決め穴８の真上に長穴の空いた上支点の固定部材３を設ける実施形態を示す図である。図６（ａ）に示すように、位置決めピン７が下から入る時には、支点より長穴が広がる方向に回動しピンは長穴に入ることができる。固定部材３は自重により長穴を締める方向に保たれ、固定することができる。自重の変わりに弾性体を用い支持してもよい。下向きに力が加わるよう支持しておいてもよい。図６（ｂ）に示すように、固定部材３右端を上方に支点を軸に回動すると、長穴を広げる方向になりピンがぬけるようになり固定を解除することができる。特に、解除操作部を機器運搬用の取手部４近傍に設けることにより、解除動作を容易に行うことができる。
【００１１】
図７は、収納式取手９により解除動作を行うことを示す図である。図７（ａ）は、取手部４を持ち上げると、解除操作部を動作させることになり固定解除される。図７（ｂ）は、固定式取手９の例で、取手部４を持ち上げると、解除操作部を動作させることになり固定解除される。
【００１２】
【発明の効果】
以上説明したように、本発明の画像形成装置では、画像形成装置本体と、給紙バンク等の増設オプションとを、正しい位置に設置した場合、両者を自動的に固定することにより別途固定部材による固定部材、作業の省略を可能にし、かつ機器の安定性を確保することができる。また、本発明の画像形成装置では、画像形成装置本体と、給紙バンク等の増設オプションとの位置決め部材が固定機能を兼ねることにより、固定部材の位置決め部材との位置精度を不要とすることができ、さらに設置時の位置精度を向上することができる。また、本発明の画像形成装置では、運搬用の取手部近傍に下方に増設されるオプションとの固定を解除する機構に連動した解除操作部材を備えることにより、平素は固定された状態を保ち、本体と増設オプションを切り離したい時だけ、固定を解除することができる。また、本発明の画像形成装置では、運搬時には給紙バンクが外れるので荷重負荷を低減することができる。これにより従来の固定方法では、取手は給紙バンクも含めた重量支持できる必要があったが、給紙バンク重量を除することができ取手にかかる負荷も低減することができる。
【図面の簡単な説明】
【図１】本発明の一実施形態である床置き式画像形成装置の本体と、増設オプション給紙バンクの構成を示す図である。
【図２】給紙バンクを画像形成装置本体から解除するときの固定部材の動作を説明する図である。
【図３】位置決め部材が固定機能を兼ねる場合の実施形態を示す図である。
【図４】位置決め部材が固定機能を兼ねる場合の実施形態を示す図である。
【図５】位置決め穴の真上に長穴の空いた上支点の固定部材を設ける実施形態を示す図である。
【図６】位置決め穴の真上に長穴の空いた上支点の固定部材を設ける実施形態を示す図である。
【図７】収納式取手により解除動作を行うことを示す図である。
【符号の説明】
１  画像形成装置本体
２  給紙バンク
３  固定部材
４  取手部
５  足
６  足受部
７  位置決めピン
８  位置決め穴
９  引き出し式取手
Ａ  固定方向
Ｂ  解除方向
【図１】
0004308447.tif 000002
【図２】
0004308447.tif 000003
【図３】
0004308447.tif 000004
【図４】
0004308447.tif 000005
【図５】
0004308447.tif 000006
【図６】
0004308447.tif 000007
【図７】
0004308447.tif 000008